(57)【要約】  全自動コーヒーサーバー用螺旋型給水構造であって、ベースとベースに取り付けたモータとを備え、ベースの底面に上凹状ベースキャビティが設けられ、ベースキャビティの頂壁の中部から下向きに中心歯車が延在しており且つベースキャビティ内に内回転盤歯車と外回転盤歯車が設けられ、中心歯車は内回転盤歯車と噛み合い、内回転盤歯車は外回転盤歯車の偏心孔に套設され且つ軸周りに回転し、モータはモータ歯車により外回転盤歯車を駆動し、中心歯車は軸方向においてベースを貫通する給水口が設けられ、内回転盤歯車は給水口の下方に位置し且つ内回転盤歯車の上表面が下へ窪み、内回転盤歯車は軸方向において内回転盤歯車を貫通する吐水口が設けられる。モータが作動するときに、内回転盤歯車における吐水口が螺旋線の軌跡に従って移動して、螺旋状で吐水することで、吐水と各位置でのコーヒー粉とを均一に接触させて、コーヒーの抽出率を向上させる。
2019531104.tif 000002
【特許請求の範囲】
【請求項１】
全自動コーヒーサーバー用螺旋型給水構造であって、
ベース（１）とベース（１）に取り付けたモータと（５）を備え、ベース（１）の底面に上凹状ベースキャビティが設けられ、ベースキャビティの頂壁の中部から下向きに中心歯車（２）が延在しており且つベースキャビティ内に内回転盤歯車（３）と外回転盤歯車（４）が設けられ、中心歯車（２）は内回転盤歯車（３）と噛み合い、内回転盤歯車（３）は外回転盤歯車（４）の偏心孔内に套設され且つ軸周りに回転し、モータ（５）はモータ歯車（６）で外回転盤歯車（４）を駆動し、中心歯車（２）は軸方向においてベース（１）を貫通する給水口が設けられ、内回転盤歯車（３）は給水口の下方に位置し且つ内回転盤歯車（３）の上表面が下へ窪み、内回転盤歯車（３）は軸方向において内回転盤歯車（３）を貫通する吐水口が設けられる、ことを特徴とする全自動コーヒーサーバー用螺旋型給水構造。
【請求項２】
前記ベースキャビティの開口部に環形位置決めディスク（７）が設けられ、外回転盤歯車（４）は環形位置決めディスク（７）の中心孔内に套設される、ことを特徴とする請求項１に記載の全自動コーヒーサーバー用螺旋型給水構造。
【請求項３】
前記モータ（５）はベース（１）の一側に取り付けられ、モータ（５）の回転軸はベース（１）を貫通してモータ歯車（６）に接続され、モータ歯車（６）はベース（１）と環形位置決めディスク（７）の間に位置する、ことを特徴とする請求項２に記載の全自動コーヒーサーバー用螺旋型給水構造。
【請求項４】
前記ベース（１）の側壁の内側に環形段差（１１）が設けられ、外回転盤歯車（４）は環形段差（１１）と環形位置決めディスク（７）の間に挟まれる、ことを特徴とする請求項２又は３に記載の全自動コーヒーサーバー用螺旋型給水構造。
【請求項５】
前記中心歯車（２）と環形位置決めディスク（７）は同軸に設置される、ことを特徴とする請求項２又は３に記載の全自動コーヒーサーバー用螺旋型給水構造。
【請求項６】
前記内回転盤歯車（３）はベースキャビティの頂壁と外回転盤歯車（４）の間に挟まれる、ことを特徴とする請求項１−３のいずれかに記載の全自動コーヒーサーバー用螺旋型給水構造。
【請求項７】
前記内回転盤歯車（３）の歯は回転盤穴に設置されて、中心歯車（２）と噛み合う、ことを特徴とする請求項１−６のいずれかに記載の全自動コーヒーサーバー用螺旋型給水構造。
【請求項８】
前記内回転盤歯車（３）の歯は回転盤外円に設置され、外回転盤歯車（４）内に減速歯車（８）が設置され、減速歯車は内回転盤歯車及び中心歯車（２）と噛み合う、ことを特徴とする請求項１−７のいずれかに記載の全自動コーヒーサーバー用螺旋型給水構造。
【発明の詳細な説明】
【技術分野】
【０００１】
本発明は、コーヒーマシンの分野に関し、特に全自動コーヒーサーバー用螺旋型給水構造に関する。
【背景技術】
【０００２】
従来技術では、コーヒーマシンにおける沸騰水が所定の位置でコーヒー粉に滴下するのが一般的であり、沸騰水がコーヒー粉に浸透すると、コーヒー粉が水と混合して溶解し、コーヒー粉における一部の可溶性物質を抽出して、それによりコーヒーの抽出を完了する。しかしながら、沸騰水が所定の位置でコーヒー粉に滴下するため、該位置での可溶性物質が抽出された後、可溶性物質を補充できない上、ほかの位置での可溶性物質を効果的に利用できないため、コーヒーの抽出率に悪影響を与える。
【発明の概要】
【発明が解決しようとする課題】
【０００３】
以上の技術的問題を克服するために、本発明は、沸騰水とコーヒー粉を均一に接触させて、コーヒーの抽出率を向上させる全自動コーヒーサーバー用螺旋型給水構造を提供する。
【課題を解決するための手段】
【０００４】
本発明が上記発明目的を達成させるために採用される技術案は以下のとおりである。全自動コーヒーサーバー用螺旋型給水構造であって、ベースとベースに取り付けたモータとを備え、ベースの底面に上凹状ベースキャビティが設けられ、ベースキャビティの頂壁の中部から下向きに中心歯車が延在されており且つベースキャビティ内に内回転盤歯車と外回転盤歯車が設けられ、中心歯車は内回転盤歯車と噛み合い、内回転盤歯車は外回転盤歯車の偏心孔内に套設され且つ軸周りに回転し、モータはモータ歯車で外回転盤歯車を駆動し、中心歯車は軸方向においてベースを貫通する給水口が設けられ、内回転盤歯車は給水口の下方に位置し且つ内回転盤歯車の上表面が下へ窪み、内回転盤歯は車軸方向において内回転盤歯車を貫通する吐水口が設けられる。モータが作動するときに、歯車の伝動により、内回転盤歯車は外回転盤歯車の回転軸周りに回転すると同時に、中心歯車周りに自転し、それにより内回転盤歯車における吐水口が螺旋線の軌跡に従って移動する。水が中心歯車における給水口から内回転盤歯車に流れて、次に内回転盤歯車における吐水口から流出するように、螺旋状で吐出することにより、吐水と各位置でのコーヒー粉とを均一に接触させて、コーヒー粉における可溶性物質の利用率を向上させ、それによりコーヒーの抽出率を向上させる。
【０００５】
さらに、前記ベースキャビティの開口部に環形位置決めディスクが設けられ、外回転盤歯車は環形位置決めディスクの中心孔に套設される。
【０００６】
さらに、前記モータはベースの一側に取り付けられ、モータの回転軸はベースを貫通してモータ歯車に接続され、モータ歯車はベースと環形位置決めディスクの間に位置する。
【０００７】
さらに、前記ベースの側壁の内側に環形段差が設けられ、外回転盤歯車は環形段差と環形位置決めディスクの間に挟まれる。
【０００８】
さらに、前記中心歯車と環形位置決めディスクは同軸に設置される。
【０００９】
さらに、前記内回転盤歯車はさらにベースキャビティの頂壁と外回転盤歯車の間に挟まれる。
【００１０】
さらに、前記内回転盤歯車の歯は回転盤穴に設置されて、中心歯車と噛み合う。
【００１１】
さらに、前記内回転盤歯車の歯は回転盤外円に設置され、外回転盤歯車内に減速歯車が設置され、減速歯車は内回転盤歯車及び中心歯車と噛み合う。
【００１２】
以上のさらなるものはすべて例示的なものに過ぎず、各例は独立した実施例としてもよく、矛盾しない限り、各例を任意に組み合わせて複合実施例としてもよい。
【図面の簡単な説明】
【００１３】
【図１】本発明の第１実施例による構造模式図である。
【図２】本発明の第１実施例による構造断面図である。
【図３】本発明の第１実施例による構造組立図である。
【図４】本発明の第２実施例による構造組立図である。
【図５】本発明の第２実施例による構造組立図である。
【発明を実施するための形態】
【００１４】
以下、本発明の実施例を詳細に説明するが、前記実施例の例は図面に示さ、なお、全文に亘り同一又は類似の符号は、同一又は類似の素子或いは同一又は類似の機能を有する素子を示す。以下、図面を参照しながら説明する実施例は例示的なものに過ぎず、本発明を説明するもので、本発明の制限として解釈できず、逆には、本発明における実施例は、添付の特許請求の趣旨や範囲に含まれるすべての変化、修正及び同等物を含む。
【００１５】
図１と図２に示されるように、本実施例は、ベース１とベース１の一側に取り付けたモータ５とを備え、ベース１の底面に上凹状ベースキャビティが設けられ、ベースキャビティの頂壁の中部から下向きに中心歯車２が延在されており且つベースキャビティ内に内回転盤歯車３と外回転盤歯車４が設けられ、中心歯車２は内回転盤歯車３と噛み合い、内回転盤歯車３は外回転盤歯車４の偏心孔４１内に套設され且つ軸周りに回転し、モータ５の回転軸はベース１を貫通してモータ歯車６に接続され、モータ歯車６は外回転盤歯車４を駆動する。中心歯車２は軸方向においてベース１を貫通する給水口２１が設けられ、内回転盤歯車３は給水口２１の下方に位置し且つ内回転盤歯車３の上表面が下へ窪み、内回転盤歯車３は軸方向において内回転盤歯車３を貫通する吐水口３１が設けられる。
【００１６】
ベースキャビティの開口部に環形位置決めディスク７が設けられ、中心歯車２と環形位置決めディスク７は同軸に設置され。外回転盤歯車４は環形位置決めディスク７の中心孔７１に套設され、ベース１の側壁の内側に環形段差１１が設けられ、外回転盤歯車４は環形段差１１と環形位置決めディスク７の間に挟まれる。内回転盤歯車３はベースキャビティの頂壁と外回転盤歯車４の間に挟まれる。モータ歯車６はベース１と環形位置決めディスク７の間に位置する。
【００１７】
前記内回転盤歯車３の歯は回転盤穴に設置されて、中心歯車２と噛み合う。
【００１８】
図４、図５に記載の内回転盤歯車３の歯は回転盤外円に設置され、外回転盤歯車４内に減速速歯車８が設置され、減速歯車は内回転盤歯車及び中心歯車２と噛み合う。
【００１９】
本発明では、作動するときに、モータ５は、モータ歯車６で外回転盤歯車４を連動して回転させ、このとき、内回転盤歯車３は外回転盤歯車４とともに外回転盤歯車４の回転軸周りに回転する上、中心歯車２の周りに自転し、内回転盤歯車３における吐水口３１は螺旋線の軌跡に従って移動する。水が中心歯車２における給水口２１から内回転盤歯車３に流れて、次に内回転盤歯車３における吐水口３１から流出するように、螺旋状で吐水することにより、吐水と各位置でのコーヒー粉とを均一に接触させて、コーヒー粉における可溶性物質の利用率を向上させ、それによりコーヒーの抽出率を向上させる。
【図１】
2019531104.tif 000003
【図２】
2019531104.tif 000004
【図３】
2019531104.tif 000005
【図４】
2019531104.tif 000006
【図５】
2019531104.tif 000007
【国際調査報告】
2019531104.tif 000008
2019531104.tif 000009
2019531104.tif 000010
2019531104.tif 000011